【事件の表示】
　平成　３年特許願第３６１４４２号「パチンコ機の入賞装置」拒絶査定に対する審判事件［平成　５年　７月２０日出願公開、特開平　５−１７７０３５］について、次のとおり審決する。
【結　論】
　本件審判の請求は、成り立たない。
【理　由】
１．手続の経緯・本願発明
　本願は、平成３年１２月３０日出願であって、その請求項１及び２に係る発明は、平成１４年７月２５日付手続補正書により補正された明細書及び図面の記載からみて、特許請求の範囲の請求項１及び２に記載されたとおりのものと認められるところ、その請求項１に記載された発明は次のとおりのものである。
「【請求項１】横長の飛入口を開設する取付基板と、
　該取付基板の背面に設けられ、前記飛入口からの入賞球を受け入れる球集合室と、
　前記飛入口の左右両端に支軸を軸承させて前方に向け開放される扉と、
　該扉を開閉動する駆動手段とを備え、
　且つ内部に継続スイッチと計数スイッチとを装備してなるパチンコ機の入賞装置において、
　前記扉には開放時に上面となる背面誘導面部に間隔をおいて２条の縦突条を隆設し、
　該両縦突条の間に後方に向けて直線状をなす特定通路を設け、その左右両側に通常通路を設けると共に、
　該通常通路に臨む前記縦突条のそれぞれの外側面を傾斜面とする一方、
　前記特定通路に前記継続スイッチを臨ませてなることを特徴としたパチンコ機の入賞装置。」
　
２．引用刊行物に記載の発明
　当審の拒絶理由に引用された第１引用例（特開平２−１０２６８７号公報）には、以下の事項が記載されている。
1-a.「まず、第３図を参照して、この実施例が適用される弾球遊技機の一例としてのパチンコ遊技機について説明する。・・・パチンコ遊技機１の額縁状の前面枠２には、」（２頁左下欄４〜８行）
1-b.「入賞領域１１２は、遊技盤１２の表面に対して下端を軸にして開放自在な開閉板１１３によって覆われている。そして、可変入賞球装置１１０の開閉板１１３は、・・・開放するように設定され、・・・入賞領域１１２内に設けられた特定入賞領域１２０に入賞すると、再度上記した開放状態を繰り返し、特定入賞領域１２０に入賞玉が発生する毎に最高１０回繰り返すことができるようになっている。」（３頁左上欄７行〜右上欄１行）
1-c.「なお、可変入賞球装置１１０の裏側には、前記特定入賞領域１２０に打玉が入賞したことを検出するＶ入賞玉検出器１２２や、前記入賞領域１１２に入賞した入賞玉を計数するための１０カウント検出器１２３も設けられている。」（４頁左上欄７〜１２行）
1-d.「次に、第１Ａ図、・・・可変入賞球装置１１０は、前記遊技盤１２に取り付けられる取付基板１１１を有し、その取付基板１１１の上部に長方形状の入賞領域１１２が開設されている。この入賞領域１１２には、下端両サイドを軸支して、取付基板１１１に対して垂直方向に開閉自在とされる開閉板１１３によって塞がれている。この開閉板１１３は、前記したようにソレノイド１１４によって開閉制御され、開成中には、遊技領域１４を落下する打玉を受止めて入賞領域１１２に導き入賞玉とする。」（１０頁左上欄９〜２０行）
1-e.「一方、前記開閉板１１３の裏面には、第１Ｂ図に示すように一対の案内片１１９ａ，１１９ｂが突設されている。そして、この案内片１１９ａ，１１９ｂの後方の空間が３つに分割され、案内片１１９ａ，１１９ｂに対応する中央の空間が特定入賞領域１２０を構成し、左右の空間が通常入賞領域１２１ａ，１２１ｂを構成している。」（１０頁左下欄６〜１２行）
　これらの記載及び第１Ａ乃至１３図によれば、第１引用例には、以下の発明が記載されているものと認められる。
「長方形状の入賞領域１１２を開設する取付基板１１１と、
　該取付基板１１１の背面に設けられ、前記入賞領域１１２からの入賞玉を受け入れる案内片１１９ａ，１１９ｂの後方の空間及びＶ入賞玉検出器１２２や１０カウント検出器１２３が設けられた可変入賞装置１１０の裏側と、
　前記入賞領域１１２の下側両サイドを軸支して開閉自在とされる開閉板１１３と、
　該開閉板１１３を開閉動するソレノイド１１４とを備え、
　且つ内部にＶ入賞玉検出器１２２と１０カウント検出器１２３とを装備してなるパチンコ遊技機１の可変入賞球装置１１０において、
　前記開閉板１１３には開放時に上面となる開閉板１１３の裏面に間隔をおいて２条の案内片１１９ａ，１１９ｂを突設し、
　該両案内片１１９ａ，１１９ｂの間に後方の案内片１１９ａ，１１９ｂに対応する中央の空間にＶ入賞検出器を有する特定入賞領域１２０を臨ませたパチンコ遊技機１の可変入賞球装置１１０」（以下、「引用発明」という。）
　当審の拒絶理由に引用された第２引用例［実願昭５６−１０７５０７号（実開昭５８−１３２８７号）のマイクロフィルム］には、以下の事項が記載されている。
2-a.「１はパチンコ機のベニヤ板Ｘの前面に固着する取付板であつて、これに数個の打玉が並列形で入る横長の玉入口２を設け、その下部口縁に玉入口２を第１、４図のように起立によつて閉じたり、第３図のように前方への約８５°程度の前傾揺動によつて開いて取付板１の前面を流下する打玉を捕捉したりする開閉板３を軸１０によつて支持する。その開閉板３には軸１０より前側に突条４によつて並列形に区分された捕捉面ａ，ｂ，ｃを設け、中央の捕捉面ｂの軸より後側に玉受面ｂ’を形成してその後端にほぼ直角状に立上つた衝合壁５を形成し、さらに左右方向の端部には、軸１０より後方に突出して上後方に円弧形の滑り面７を設けその前端に直立状の係止縁８を設けた突片６を形成し、中央の捕捉面ｂの一側の突条４に接して低い後方傾斜をもつたロツク突部９を設ける。」（３頁９〜４頁９行）
2-b.「取付板１の後側にはベニヤ板Ｘの後側まで突出する周囲枠板１１を設け、開閉板３の捕捉面ａ、ｂ、ｃの各後側下部に区劃壁により区切られた玉落部ａ−１、ｂ−１、ｃ−１を設けてあり、夫等の後側に周囲枠板１１を切破つた流出口ａ−２、ｂ−２、ｃ−２を夫々形成してある。」（４頁１３〜５頁３行）
　当審の拒絶理由に引用された第３引用例（特開平２−２６８７８５号公報）には、以下の事項が記載されている。
3-a.「また、入賞開口２２の下縁中央には、一対の区画部材２７ａ，２７ｂが後方に突出され、その区画部材２７ａ，２７ｂに挟まれる位置にＶ入賞口２８が形成され、区画部材２７ａ，２７ｂの外側に入賞口２９ａ、２９ｂが形成されている。Ｖ入賞口２８には、Ｖ入賞検出器３０が臨んでおり、これが作動することにより、前記したように繰返して開閉扉２３を開放するようになっている。」（３頁左下欄１〜８行）
　
３．本願発明と引用発明との対比検討
　本願請求項１に記載された発明（以下、「本願発明」という。）と引用発明とを対比すると、
　引用発明における「長方形状の入賞領域１１２」、「取付基板１１１」、「入賞玉」、「案内片１１９ａ，１１９ｂの後方の空間及びＶ入賞玉検出器１２２や１０カウント検出器１２３が設けられた可変入賞装置１１０の裏側」、「入賞領域１１２の下側両サイドを軸支して開閉自在とされる開閉板１１３」、「ソレノイド１１４」、「Ｖ入賞玉検出器１２２」、「１０カウント検出器１２３」、「パチンコ遊技機１の可変入賞球装置１１０」、「開閉板１１３の裏面」、「案内片１１９ａ，１１９ｂ」、「突設」は、
　本願発明の「横長の飛入口」、「取付基板」、「入賞球」、「球集合室」、「飛入口の左右両端に支軸を軸承させて前方に向け開放される扉」、「駆動手段」、「継続スイッチ」、「計数スイッチ」、「パチンコ機の入賞装置」、「背面誘導面部」、「縦突条」、「隆設」にそれぞれ相当する。
　したがって、両者は「横長の飛入口を開設する取付基板と、
　該取付基板の背面に設けられ、前記飛入口からの入賞球を受け入れる球集合室と、
　前記飛入口の左右両端に支軸を軸承させて前方に向け開放される扉と、
　該扉を開閉動する駆動手段とを備え、
　且つ内部に継続スイッチと計数スイッチとを装備してなるパチンコ機の入賞装置において、
　前記扉には開放時に上面となる背面誘導面部に間隔をおいて２条の縦突条を隆設し、
　該両縦突条の間に後方を前記継続スイッチに臨ませてなることを特徴としたパチンコ機の入賞装置。」である点で一致し、
次の点で相違する。
　
（Ａ）本願発明は、「両縦突条の間に後方に向けて直線状をなす特定通路を設け、その左右両側に通常通路を設けると共に、前記特定通路に前記継続スイッチを臨ませてなる」構成であるのに対し、
　引用発明は、両縦突条の間の後方は継続スイッチに臨む構成となっているが、両縦突条の間に後方に向けて直線状をなす特定通路を設け、その左右両側に通常通路を設けた構成を有しているかどうか明かでない点。
（Ｂ）本願発明は、「通常通路に臨む前記縦突条のそれぞれの外側面を傾斜面とする」構成であるのに対して、
　引用発明は、上記構成を有していない点。
　
　上記相違点（Ａ）及び（Ｂ）について検討する。
相違点（Ａ）について
　当審の拒絶理由に引用された第２引用例［実願昭５６−１０７５０７号（実開昭５８−１３２８７号）のマイクロフィルム］には、扉（開閉板３が相当）の開放時に上面となる背面誘導面部に間隔をおいて２条の縦突条（突条４が相当）を隆設して、該両縦突条の間に後方に向けて直線状をなす通路を設け、その左右両側に通常通路を設ける点が記載されているから、第２引用例記載の該両縦突条の間に後方に向けて直線状をなす通路を設け、その左右両側に通常通路を設ける構成を、第１引用例に記載の扉の背面誘導面部に適用して、前記相違点に係る本願請求項１の発明の構成とすることは当業者が容易に想到できるものと認められる。
　
相違点（Ｂ）について
　当審で引用した第４引用例（特開平２−２６６７８５号公報）には、パチンコ機の入賞装置においてパチンコ球を誘導する傾斜面を設ける構成が記載されており、誘導部材・障害部材により斜め方向・横方向に弾かれたパチンコ球が、入賞装置の傾斜面により横方向の移動が助けられるということは極々当たり前に生じることであるから、傾斜面によるパチンコ球の横方向の移動を助けるという機能は入賞装置に傾斜面を設けることにより必然的に生ずる機能にすぎない。
　よって、通常通路に臨む縦突条のそれぞれの外側面に、上記第４引用例に記載されたパチンコ球を誘導する傾斜面を設ける構成を施して傾斜面とすることは、当業者が容易に想到できるものと認められる。
　
　そして、本願発明の奏する効果は上記第１、第２及び第４引用例に記載された発明から当業者が容易に予測し得るものであって、格別顕著なものとも認められない。
　したがって、本願発明は、上記第１、第２及び第４引用例に記載された発明に基づいて当業者が容易に発明をすることができたものである。
　
４．むすび
　以上のとおり、本願請求項１に係る発明は、第１、第２及び第４引用例に記載の発明に基づいて当業者が容易に発明をすることができたものであるから、特許法第２９条第２項の規定により特許を受けることができない。
　したがって、他の請求項に係る発明について検討するまでもなく、本願は拒絶すべきものである。
　よって、結論のとおり審決する。